(57)【要約】【課題】戸体に近付き開方向に把手を動かす際、戸体の前まで進むその慣性力をもって把手を戸面に近付く方向に押し、戸体を開方向に動かし、戸体の始動をより行いやすくすることができる引き戸の補助機構を提供する。【解決手段】戸体２の戸面２１に近付く方向に移動可能な把手１１と、把手１１の前記移動より戸体２の側端面２２から突出して戸枠３を押圧する押圧部１３で構成される。【選択図】図１
2013127174.tif 000002
【特許請求の範囲】
【請求項１】
戸体の戸面に近付く方向に移動可能な把手と、前記把手の前記移動より前記戸体の側端面から突出して戸枠を押圧する押圧部を備えたことを特徴とする引き戸の補助機構。
【請求項２】
前記把手と前記押圧部の間に介在する運動伝達部を備えることを特徴とする請求項１記載の引き戸の補助機構。
【請求項３】
前記把手と前記運動伝達部と前記押圧部とは一体に形成され、前記把手と前記運動伝達部と前記押圧部とが、前記戸体に回動自在に連結されるためのヒンジ部を備えることを特徴とする請求項２記載の引き戸の補助機構。
【発明の詳細な説明】
【技術分野】
【０００１】
本発明は、戸体を開方向に動かす際の始動を補助する引き戸の補助機構に関する。
【背景技術】
【０００２】
従来より、戸体を左右方向に動かす把手に、戸枠に対して出退自在に設けられた蹴り出し部材を備え、戸体を開方向に始動させる際前記把手の回動運動を利用して、蹴り出し部を戸枠に押圧させて、戸体の始動を補助するものが知られている（例えば特許文献１参照）。
【先行技術文献】
【特許文献】
【０００３】
【特許文献１】特開２００８−２１５０５２号公報
【発明の概要】
【発明が解決しようとする課題】
【０００４】
ところで、特許文献１に記載された従来の引き戸の補助機構は、床面に対して垂直な方向から、床面に対して水平な方向に傾ける際に生じる把手の回動運動を利用して戸体の始動を補助していた。その従来の引き戸の補助機構では、戸体に近付き戸体の開方向に把手を動かす際、把手を持ち、そして把手を床面に対して水平な方向に傾け、戸体を開方向に動かすというものであり、戸体の前まで進む慣性力を生かすことができていなかった。
【０００５】
本発明は上記従来の問題点に鑑みて発明したものであって、その目的とするところは、戸体に近付き開方向に把手を動かす際、戸体の前まで進むその慣性力をもって把手を戸面に近付く方向に押し、戸体を開方向に動かし、戸体の始動をより行いやすくする引き戸の補助機構を提供することを課題とするものである。
【課題を解決するための手段】
【０００６】
上記課題を解決するために、本発明は、以下のような構成とする。
【０００７】
戸体の戸面に近付く方向に移動可能な把手と、前記把手の前記移動より前記戸体の側端面から突出して戸枠を押圧する押圧部を備えたことを特徴とする。
【０００８】
前記把手と前記押圧部の間に介在する運動伝達部を備えることが好ましい。
【０００９】
前記把手と前記運動伝達部と前記押圧部とは一体に形成され、前記把手と前記運動伝達部と前記押圧部とが、前記戸体に回動自在に連結されるためのヒンジ部を備えることが好ましい。
【発明の効果】
【００１０】
本発明の引き戸の補助機構は、戸体に近付き開方向に把手を動かす際、戸体の前まで進むその慣性力をもって把手を戸面に近付く方向に押し、戸体を開方向に動かし、戸体の始動をより行いやすくすることができる。
【図面の簡単な説明】
【００１１】
【図１】第一実施形態の要部断面図である。
【図２】第一実施形態の全体平面図である。
【図３】（ａ）は第一実施形態の戸体の正面図であり、（ｂ）はＡ−Ａ断面の側面図である。
【図４】第二実施形態の要部断面図である。
【図５】第三実施形態の要部断面図である。
【図６】（ａ）は第三実施形態の戸体の正面図であり、（ｂ）はＢ−Ｂ断面の側面図である。
【図７】第四実施形態の要部断面図である。
【発明を実施するための形態】
【００１２】
以下、本発明の第一実施形態について，図１に基いて説明する。
【００１３】
本実施形態の引き戸の補助機構は、戸枠３内を左右方向に移動する戸体２の外面端部近傍に設けられる把手１１と、さらに戸枠３を押圧する押圧部１３とを備えている。把手１１と押圧部１３は、アルミニウムといった金属や合成樹脂などが考えられるが、これらに限定されない。
【００１４】
本実施形態では、把手部１の形状はＴ字状で形成されており、そのＴ字状の基幹部を把手１１とし、先端部を連設部１４とする。本実施形態において、戸面２１に近づく方向をＹ、戸体２が左に動く方向をＸとすると、押圧部１３の一端はＹ方向に向かうにつれ、Ｘ方向へ傾斜をしていく。なお、戸体２が左にある場合は戸体２が右に動く場合をＸとする。他端は平面視矩形状かつ長手方向正面視円状となっている。なお、把手１１と連設部１４と押圧部１３とは筒状や柱状であってもよく、その形状も楕円形や角形といったものでもよく、限定されない。また、連設部の先端１４ａと押圧部の傾斜１３ａとの当接面が摩擦による磨耗を抑えられるため、連設部の先端１４ａは矩形状であるよりも半球状であるほうがよく、また連設部１４の先端にローラを取付けるなどしてもよい。
【００１５】
戸体２は戸面２１と側端面２２と上端面２３と下端面２４を有している。また引き戸は２枚の戸体２があり、左戸体と右戸体が左右方向にすれ違う関係にあるものでも、そして１枚の戸体２と戸袋という関係になっているものでもよい。
【００１６】
本実施形態において、戸面２１の側端部の略上下方向中央に把手ガイド孔２５が設けられており、戸体２の側端面２２略中央には押圧部ガイド孔２６が設けられている。なお、把手ガイド孔２５と押圧部ガイド孔２６は円形に限定されず角形であってもよく、把手１１と押圧部１３の形状に合わせていればよい。また把手ガイド孔２５と押圧部ガイド孔２６の床面からの高さは、把手１１を用いて引き戸を開閉するのに最も適した高さであるのが好ましい。
【００１７】
本実施形態では、戸枠３は方形状をしており、浴室やテラス等の出入口などに設置されているものであり、床面と平行な関係にある上戸枠３３と下戸枠３４があり、床面と垂直な関係にある右戸枠３１と左戸枠３２がある。戸枠３には押圧部１３が当接する押圧部受け部３５が設けられるが、押圧部受け部３５は戸枠３の一部であってもよく、また押圧部１３が当接する事から、摩擦などによる磨耗を減らすために、別部材で設けられてもよい。戸枠３の材質は木製やアルミニウム製や合成樹脂製などが考えられるが、これらに限定されるものではない。
【００１８】
下戸枠３４と上戸枠３３には、戸体２を左右方向に移動させるスライド機構が設けられている。このスライド機構は、下戸枠３４と上戸枠３３には戸体２を左右方向へガイドするガイド溝、戸体２側には前記ガイド溝を走行するローラが取付けられているものや、ガイド溝と嵌合の関係になり左右方向へ移動するものがある。
【００１９】
本実施形態の使用方法について示す。まず把手ガイド孔２５に沿って把手１１を挿入していき、押圧部の傾斜１３ａに対して把手１１の先端を当接させる。そして、さらに把手１１を押し込むことにより、把手１１の先端が押圧部の傾斜１３ａを押圧部ガイド孔２６に沿って押し出し、押圧部１３が戸枠３側へとスライドし、そして戸枠３と当接することにより、戸体２を開方向へ移動させる補助をしている。
【００２０】
次に、第二実施形態について図４に基づいて説明する。なお、本実施形態については図１に示す上記第一実施形態と大部分について同じであるため、同じ構成については同符号を付して説明を省略し、主に異なる部分について説明する。
【００２１】
本実施形態の引き戸の補助機構には、把手部１があり、把手部１には戸体２を開閉する際に手で掴む把手１１と、戸枠３を押圧する押圧部１３と、把手１１と押圧部１３との間に介在する運動伝達部１２とを備えている。把手１１と運動伝達部１２と押圧部１３は、アルミニウムといった金属や合成樹脂などで形成されていてもよく、限定されない。
【００２２】
本実施形態では、把手１１はＴ字状をしており、運動伝達部１２は楕円形薄板状をしている。把手１１の先端は運動伝達部１２と接続するための孔１６が設けられており、その孔１６にピン１５等が挿入され、運動伝達部１２と接続される。運動伝達部１２は、把手１１の直線運動を押圧部１３の直線運動に伝達する役目を担うリンク構造となっている。また、その両端には、把手１１と押圧部１３と接続するための孔１６が設けられており、ピン１５等が挿入され、把手１１と押圧部１３とが接続される。押圧部１３の一端にも孔１６が設けられ、ピン１５等が挿入され、運動伝達部１２と接続されるようになっている。また押圧部１３の他端は、押圧部受け部３５と当接する。なお、把手１１と運動伝達部１２と押圧部１３の形状は上記したものに限定されない。材質も金属や合成樹脂などが考えられるが、これらに限定されるものではない。
【００２３】
本実施形態においては、把手ガイド孔２５、押圧部ガイド孔２６に加え、運動伝達部１２をガイドする運動伝達部ガイド孔２７が設けられる。運動伝達部ガイド孔２７の形状は、三角形状となっているがこれに限定されない。
【００２４】
本実施形態の使用方法について示す。まず把手ガイド孔２５に沿って把手１１を挿入していくと、その動きに連動して運動伝達部１２が運動伝達部ガイド孔２７に沿って動き、それに合わせて連結している押圧部１３が押圧部ガイド孔２６に沿って押し出されていき、戸体２の側端面２２から押圧部１３が挿出され戸枠３を押し、そして戸体２を開方向へ移動させる補助をしている。
【００２５】
次に、第三実施形態について図５に基づいて説明する。なお、本実施形態については図１に示す上記第一実施形態と図４に示す上記第二実施形態と大部分について同じであるため、同じ構成については同符号を付して説明を省略し、主に異なる部分について説明する。
【００２６】
本実施形態の引き戸の補助機構は、戸枠３内を左右方向に移動する戸体２の外面端部近傍に設けられる把手部１とを備えている。さらに把手部１は、戸体２を開閉する際に手で掴む把手１１と、戸枠３を押圧する押圧部１３、把手１１と押圧部１３との間に介在している運動伝達部１２とで構成されている。把手１１と押圧部１３と運動伝達部１２は、アルミニウムといった金属や合成樹脂などで形成されていてもよく、限定されない。なお、本実施形態では把手１１と運動伝達部１２と押圧部１３とは一体に形成されている。
【００２７】
本実施形態では把手１１と運動伝達部１２は垂直の関係にあり、運動伝達部１２と押圧部１３は垂直の関係にあり、把手１１と押圧部１３は平行の関係にあるが、突出している方向が逆の関係になっている。
【００２８】
なお、把手１１の本実施形態の形状は長手方向正面視円形であり、平面視矩形となっているが、これだけに限定されず、長手方向正面視六角形などの角形でもよい。運動伝達部１２と押圧部１３も同様の事がいえ、本実施形態では長手方向正面視円形であり、平面視矩形であるが、これだけに限定されず、長手方向正面視六角形などの角形でもよい。
【００２９】
また、戸体２と把手部１がヒンジ部４により回動自在に連結されている。そして把手部１の回動運動を利用して、戸枠３に対して押圧部１３を押圧させ戸体２の始動を補助している。押圧部１３の戸枠３を押圧する先端の形状は、断面円形や矩形といったものが考えられるが、それだけに限定されない。しかし、押圧部１３の先端が平面視矩形状であると、押圧部１３の角が押圧部受け部３５に当接し押圧部受け部３５がえぐられてしまう。それを防止するため、押圧部１３の先端の形状を半球にするのが好ましい。こうすることにより、押圧部受け部３５の磨耗と摩擦を防止し易くなる。
【００３０】
ヒンジ部４は戸体２に連結される形態となっており、把手部１の運動伝達部１２と押圧部１３の接続部分に孔１６があり、その孔１６にヒンジ部４を挿入することにより、把手部１を回動させている。なお孔１６の形状は、円形であるのが好ましい。そして、ヒンジ部４の形状は孔１６を支点に回動を行うので円形であるのが好ましい。材質は金属や合成樹脂等、特に限定されない。
【００３１】
本実施形態において、戸体２には側端面２２の略上下中央に開口２９が設けられている。その開口２９は把手部１が回動するために設けられており、その高さと幅は、把手部１に合わせて作られている。なお開口２９の位置は、側端部の略上下方向中央としたが、それだけに限定されず、実際は把手部１を用いて戸体２を開閉するのに最も適した高さであるのが好ましい。
【００３２】
開口２９の上面と下面には戸体２に突出するように、ヒンジ部４と嵌合の関係になるヒンジ部受け孔２８が備えられている。ヒンジ部受け孔２８は把手部１が回動する際その支点となる。なおヒンジ部受け孔２８の形状は、ヒンジ部４を回動させる必要があるため円形であるのが好ましい。
【００３３】
本実施形態の使用方法について示す。まず、戸面２１に近付く方向に把手１１を押すと、それに合わせてヒンジ部４を支点にして、運動伝達部１２と押圧部１３が連動した回動運動が起こる。そして、押圧部１３の回動運動により、押圧部１３が戸枠３にある押圧部受け部３５と当接する。そこで、押圧部１３が押圧部受け部３５を押すことにより、戸体２を開方向へ移動させる補助をしている。
【００３４】
本実施形態は、部材点数が少なく、簡単な構成で、引き戸の補助機構が構成されるものである。
【００３５】
次に、第四実施形態について図７に基づいて説明する。なお、本実施形態については図５に示す上記第三実施形態と大部分について同じであるため、同じ構成については同符号を付して説明を省略し、主に異なる部分について説明する。
【００３６】
本実施形態は、運動伝達部１２と押圧部１３との関係が垂直ではなく、把手１１がある方向と逆側に少し傾いている。第三実施形態と本実施形態との違いを示す。まず、把手１１を使用して戸体２を開方向に動かしているときを動作時、戸体２を開方向に動かすために把手１１を掴むときを動作開始時とする。動作開始時の把手１１と戸体２との関係が、第三実施形態では平行ではないが、本実施形態では平行となる。動作時の把手１１と戸体２との関係は、第三実施形態では平行となるが、本実施形態では平行とならない。故に、第三実施形態では動作時に把手１１を持ち易く、本実施形態では静止時に把手１１を持ち易くなる。
【符号の説明】
【００３７】
１    把手部
１１  把手
１２  運動伝達部
１３  押圧部
１３ａ  押圧部の傾斜
１４  連設部
１４ａ  連設部の先端
１５  ピン
１６  孔
２    戸体
２１  戸面
２２  側端面
２３  上端面
２４  下端面
２５  把手ガイド孔
２６  押圧部ガイド孔
２７  運動伝達部ガイド孔
２８  ヒンジ部受け孔
２９  開口
３    戸枠
３１  右戸枠
３２  左戸枠
３３  上戸枠
３４  下戸枠
３５  押圧部受け部
４    ヒンジ部
【図１】
2013127174.tif 000003
【図２】
2013127174.tif 000004
【図３】
2013127174.tif 000005
【図４】
2013127174.tif 000006
【図５】
2013127174.tif 000007
【図６】
2013127174.tif 000008
【図７】
2013127174.tif 000009